(57)【要約】【課題】コンピュータマウスと指紋スキャナを結合する単一の携帯端末を提供する。【解決手段】ユーザの指を受ける空洞を有するハウジングと、前記ハウジングに設置され、信号の検出と信号伝送の制御をするコントロールモジュールと、前記ハウジングの空洞に設置された指紋スキャナを備え、前記コントロールモジュールと結合して、指紋の検出と前記コントロールモジュールへの指紋信号の伝送を司る指紋スキャンモジュールとを備えるコンピュータマウス。前記指紋スキャンモジュールは前記ハウジングの空洞に設置された指紋スキャナを備える。前記空洞の側面図は例えば英文字「Ｄ」のような閉鎖の輪の形であってもよく、例えば英文字「Ｃ」のような開放の輪の形であってもよい。【選択図】図１
2010272108.tif 000002
【特許請求の範囲】
【請求項１】
ユーザの指を受ける空洞を有するハウジングと、
前記ハウジング内に設置され、信号の検出と信号伝送の制御をするコントロールモジュールと、
前記ハウジングの空洞に設置された指紋スキャナを備え、前記コントロールモジュールと結合して、指紋の検出と前記コントロールモジュールへの指紋信号の伝送を司る指紋スキャンモジュールと
を備えるコンピュータマウス。
【請求項２】
前記空洞の側面図は閉鎖の輪の形である請求項1に記載のコンピュータマウス。
【請求項３】
前記空洞の側面図は英文字「Ｄ」の形である請求項２に記載のコンピュータマウス。
【請求項４】
前記空洞の側面図は開放の輪の形である請求項１に記載のコンピュータマウス。
【請求項５】
前記空洞の側面図は英文字「Ｃ」の形である請求項４に記載のコンピュータマウス。
【請求項６】
前記ハウジングの空洞は前記ハウジングの一つの側面から反対の側面まで延長する貫通孔である請求項１に記載のコンピュータマウス。
【請求項７】
前記指紋スキャンモジュールは無線周波数の指紋スキャンモジュールである請求項１に記載のコンピュータマウス。
【請求項８】
前記コントロールモジュールに結合された、データを記憶するデータ記憶モジュールを更に備える請求項１に記載のコンピュータマウス。
【請求項９】
前記データ記憶モジュールと前記指紋スキャンモジュールは分離されたときに前記コントロールモジュールと無線通信できる請求項８に記載のコンピュータマウス。
【請求項１０】
前記コントロールモジュールに結合された光機構モジュールを更に備える請求項１に記載のコンピュータマウス。
【請求項１１】
前記コントロールモジュールに結合された、前記コンピュータマウスを周辺設備に接続するインタフェースを更に備える請求項１に記載のコンピュータマウス。
【請求項１２】
前記インタフェースはＵＳＢインタフェース又はＩＥＥＥインタフェースである請求項１１に記載のコンピュータマウス。
【請求項１３】
ユーザの指を受ける空洞を有するハウジングと、
前記ハウジングに設置され、信号の検出と信号伝送の制御をするコントロールモジュールと、
前記ハウジングの空洞に設置された指紋スキャナを備え、前記コントロールモジュールと結合して、指紋の検出と前記コントロールモジュールへの指紋信号の伝送を司る指紋スキャンモジュールと、
前記コントロールモジュールに結合された、データを記憶するデータ記憶モジュールと、
前記コントロールモジュールに結合された、前記コンピュータマウスを周辺設備に繋げるインタフェースと
を備えるコンピュータマウス。
【請求項１４】
前記空洞の側面図は閉鎖の輪の形である請求項１３に記載のコンピュータマウス。
【請求項１５】
前記空洞の側面図は英文字「Ｄ」の形である請求項１４に記載のコンピュータマウス。
【請求項１６】
前記空洞の側面図は開放の輪の形である請求項１３に記載のコンピュータマウス。
【請求項１７】
前記空洞の側面図は英文字「Ｃ」の形である請求項１６に記載のコンピュータマウス。
【請求項１８】
前記ハウジングの空洞は前記ハウジングの一つの側面から反対の側面まで延長する貫通孔である請求項１に記載のコンピュータマウス。
【請求項１９】
前記コントロールモジュールに結合された光機構モジュールを更に備える請求項１３に記載のコンピュータマウス。
【請求項２０】
ハウジングの一つの側面から反対の側面まで延長する、ユーザの指を受ける貫通孔を有するハウジングと、
前記ハウジングに設置され、信号の検出と信号伝送の制御をするコントロールモジュールと、
前記ハウジングの空洞に設置された指紋スキャナを備え、前記コントロールモジュールと結合して、指紋の検出と前記コントロールモジュールへの指紋信号の伝送を司る指紋スキャンモジュールと、
前記コントロールモジュールに結合された、データを記憶するデータ記憶モジュールと、
前記コントロールモジュールに結合された、前記コンピュータマウスを周辺設備に繋げるインタフェースと、
前記コントロールモジュールに結合された光機構モジュールと
を備えるコンピュータマウス。
【発明の詳細な説明】
【技術分野】
【０００１】
本発明は指紋スキャナを有するコンピュータマウスに関する。
【背景技術】
【０００２】
コンピュータマウスと指紋スキャナはコンピュータと関連して使われる普通の設備である。それらは独立の設備として単独に動作する。その二つの設備が必要となったとき、異なる電気ワイヤやインタフェースを介してそれぞれコンピュータに接続しなければならない。普通にはコンピュータはキーボードとコンピュータマウスを持っている。コンピュータマウスを電気ワイヤでコンピュータに接続することができる。必要の場合は、独立の指紋スキャナをほかの電気ワイヤでコンピュータに接続しなければならない。これはコンピュータへのワイヤと設備の接続の煩雑をもたらす。さらに、コンピュータに接続する各設備毎に一つのインタフェースが必要なので、コンピュータには十分な数のポートが確保できない恐れがある。
【０００３】
そこで、コンピュータマウスと指紋スキャナを結合する単一の携帯端末を提供する必要が生じる。
【０００４】
前記の背景技術の部分における説明がコンピュータマウスを理解するために提供されたが、現在の特許出願で記載されたコンピュータマウスに適切な従来技術を説明するか組み合わせること、またはどんな情報も本願のクレームの特許性の材料にみなすことを認めない。
【発明の概要】
【課題を解決するための手段】
【０００５】
本発明出願はコンピュータマウスに関わる。そのコンピュータマウスは、ユーザの指を受ける空洞(hollow)を有するハウジングと、前記ハウジング内に設置され、信号の検出と信号伝送の制御をするコントロールモジュールと、前記ハウジングの空洞に設置され、前期コントロールモジュールに結合され、指紋の検出と前記コントロールモジュールへの指紋信号の伝送を司る指紋スキャンモジュールとを備える。前記指紋スキャンモジュールは前記ハウジングの空洞に設置された指紋スキャナを備える。
【０００６】
前記空洞の側面図は例えば英文字「Ｄ」のような閉鎖の輪の形であってもよく、例えば英文字「Ｃ」のような開放の輪の形であってもよい。
【０００７】
ある実施例では、前記ハウジングの空洞は前記ハウジングの一つの側面から反対の側面まで延長する貫通孔(スルーホール)であってもよい。
【０００８】
前記指紋スキャンモジュールは無線周波数の指紋スキャンモジュールであってもよい。
【０００９】
前記コンピュータマウスは、更に前記コントロールモジュールに結合された、データを記憶するデータ記憶モジュールを備える。ある実施例では、前記データ記憶モジュールと前記指紋スキャンモジュールは分離されたときに前記コントロールモジュールと無線通信できる。
【００１０】
前記コンピュータマウスは、更に前記コントロールモジュールに結合された光機構モジュールを備えてもよい。
【００１１】
前記コンピュータマウスは、更に前記コントロールモジュールに結合された、前記コンピュータマウスを周辺設備に接続するインタフェースを備えてもよい。ある実施例では、前記インタフェースはＵＳＢインタフェースである。あるほかの実施例では、前記インタフェースはＩＥＥＥインタフェースである。
【００１２】
以下、添加された図面と共に例示することで、明細書におけるコンピュータマウスの具体的な実施例を説明する。
【図面の簡単な説明】
【００１３】
【図１】本発明のある実施例に係るコンピュータマウスのブロック図である。
【図２】本発明のある実施例に係るコンピュータマウスの正面図である。
【図２ａ】図２に示されたコンピュータマウスの側面図である。
【図３】本発明のあるほかの実施例に係るコンピュータマウスの正面図である。
【図３ａ】図３に示されたコンピュータマウスの側面図である。
【図４】コンピュータマウスの回路図である。
【図５】コンピュータマウスの無線周波数指紋スキャナの回路図である。
【図６】無線周波数指紋スキャナの無線周波数指紋センサーの回路図である。
【図７】コンピュータマウスのＵＳＢインタフェースの回路図である。
【発明を実施するための形態】
【００１４】
本出願のコンピュータマウスの最良の実施形態について詳しく説明する。その例もいくつ含めている。明快のために、そのコンピュータマウスを理解するには特に重要ではない特徴を割愛するのは、当業者にとって当たり前のことであるが、本出願のコンピュータマウスの実施例を詳しく説明する。
【００１５】
なお、本出願のコンピュータマウスは次に述べる詳細な実施例に限定されるべきではなく、そして本出願の請求範囲を脱出することない限り、当業者はいろんな変更や修正をすることができるのは、理解されるところである。例えば、本出願の請求範囲と明細書の記載範囲を超えない限り、異なる実施例における要素及び/又は特徴を組み合わせる及び/又は変更することができる。
【００１６】
明細書と請求項には、一つの要素がもう一つの要素に「結合」(couple)或いは「接続」(connect)されるように記載されているが、これは、必ず1つの要素がもう一つの要素に固定されるか、繋がるか、または別の方法で取り付けられることを意味するというわけではない。代わりに、「結合」あるいは「接続」という用語は、1つの要素が直接あるいは間接的にもう一つの要素に接続されるか、または別の要素との機械的であるか電気的なコミュニケーションであることを意味する。
【００１７】
図１は本出願のある実施例に係るコンピュータマウスと指紋スキャナを組み合わせたコンピュータマウスを示すブロック図である。ＵＳＢディスクドライブがコンピュータマウスに備えられてもよい。
【００１８】
この実施例の中で、コンピュータマウスはハウジング１００と、ハウジング１００内に設置されたコントロールモジュール１０１と、コントロールモジュール１０１に結合されたデータ記憶モジュール１０２と、コントロールモジュール１０１に結合された光機構モジュール１０３と、コントロールモジュール１０１に結合された指紋スキャンモジュール１０４と、コントロールモジュール１０１に結合されたインタフェース回路１０５を備える。単独のコンピュータマウスにおけるコンピュータマウスと指紋スキャナとＵＳＢディスクドライブの組み合わせは、所要の別々の設備の点数を低減し、コンピュータにおける利用可能なインタフェースリソースの占有を低減することができる。
【００１９】
図２と図２aに示すように、コンピュータマウスはコンピュータマウスに指紋スキャナを組み合わせた形である。ＵＳＢディスクドライブをコンピュータマウスに組み合わせてもよい。コンピュータマウスはハウジング１００に一体形成された、ユーザの指を受ける空洞１１０を備える。この実施例によれば、指受け用の空洞１１０はハウジング１００の一つの側面から反対の側面まで延長する貫通孔である。空洞１１０の側面図は英文字「Ｄ」の形である。ほかの実施例では、空洞１１０の側面図は英文字「Ｏ」の形や長方形の形、或いはほかの閉鎖の輪の形（close loop shaped）である。指紋スキャンモジュール１０４は指紋スキャナ１０４’を備える。指紋スキャナ１０４’は指受け用の空洞１１０の中に設置され、実質的に、指受け用の空洞１１０を定義する周壁に沿って設置された指紋スキャン表面を持つ。この指紋スキャン表面を上に向けてもよく、指紋スキャンの便宜のためのいずれの方向に向けてもよい。
【００２０】
指紋スキャナ１０４’はコンピュータマウスの一つの設備として機能し、指受け用の空洞１１０の中に隠されている。結果、硬いや鋭い物、水、ほこりなどによる損害と汚染から指紋スキャナ１０４’を保護することができる。指受け用の空洞１１０はコンピュータマウスの軽量化を実現でき、左利きの、そして右利きの両方のユーザに適合する。
【００２１】
この実施例では、ハウジング１００をその中にコントロールモジュール１０１とデータ記憶モジュール１０２と光機構モジュール１０３と指紋スキャンモジュール１０４とインタフェース回路１０５とを収納できる形と寸法にすることができる。ハウジング１００をプラスチックや適切なほかの材料で作ることができる。
【００２２】
図３と図３aはその中に指紋スキャナが設置されたコンピュータマウスのほかの実施例の図面である。ＵＳＢディスクドライブをこのコンピュータマウスの中に設置することもできる。コンピュータマウスはハウジング１１００に一体形成された、ユーザの指を受ける空洞１１１０を備える。この実施例によれば、指受け用の空洞１１１０はハウジング１１００の一つの側面から反対の側面まで延長する貫通孔である。空洞１１１０の側面図は英文字「Ｃ」の形、或いはほかの開放の輪の形（open loop shaped）である。指紋スキャンモジュール１０４は指紋スキャナ１１０４’を備える。指紋スキャナ１１０４’は指受け用の空洞１１１０の中に設置され、実質的に、指受け用の空洞１１１０を定義する周壁に沿って設置された指紋スキャン表面を持つ。この指紋スキャン表面を上に向けてもいいし、指紋スキャンの便宜のためのいずれの方向にむけてもいい。
【００２３】
指紋スキャナ１１０４’はコンピュータマウスの一つの設備として機能し、指受け用の空洞１１１０の中に隠されている。結果、硬いや鋭い物、水、ほこりなどによる損害と汚染から指紋スキャナ１１０４’を保護することができる。指受け用の空洞１１１０は図２におけるコンピュータマウスよりも軽量化を実現でき、左利きの、そして右利きの両方のユーザに適合する。
【００２４】
この実施例では、ハウジング１１００をその中にコントロールモジュール１０１とデータ記憶モジュール１０２と光機構モジュール１０３と指紋スキャンモジュール１０４とインタフェース回路１０５とを収納できる形と寸法にすることができる。ハウジング１１００をプラスチックや適切なほかの材料で作ることができる。
【００２５】
ハウジングの空洞はハウジングの一つの側面からハウジングの反対の側面まで延長する貫通孔であるように図示や説明したが、当業者にとって、指受け用の空洞はハウジングの先端からハウジングの後端まで、或いはハウジングの表面からハウジングの裏面まで延長することができるのは、理解できるところである。また、当業者にとって、指受け用の空洞をハウジングの外の表面からハウジングの内部で延長するブラインドホール或いは空洞にすることもできるのは、理解できるところである。
【００２６】
図１に戻って、コントロールモジュール１０１を用いてコンピュータマウス全体の動作を制御する。コントロールモジュール１０１は電気回路が形成された基板を備える。コントロールモジュール１０１を固定的にハウジング１００の内部に設置することができる。コントロールモジュール１０１は信号の検出と検出信号の伝送制御を実現する回路を備えることができる。
【００２７】
例えば、コントロールモジュール１０１はデータ記憶モジュール１０２との間でデータのやり取りをすることができる。コントロールモジュール１０１は指紋スキャンモジュール１０４から伝送されてきた指紋信号を受信し処理して、インタフェース回路１０５を介して、指紋信号を例えばコンピュータのような周辺設備に送信することができる。コントロールモジュール１０１は、指紋照合を完成したり、リード及び／又はライトの動作が許可されたかを確認するために、データ記憶モジュール１０２に記録されているデータについて、比較することができる。
【００２８】
データ記憶モジュール１０２はデータを記憶する。データ記憶モジュール１０２はフラッシュメモリデバイスの形であってもよいし、ほかのいずれの便利なデータ記憶デバイスであってもよい。データ記憶モジュール１０２はＵＳＢインタフェースと共にデータ格納用のＵＳＢディスクドライブを形成することができる。
【００２９】
データ記憶モジュール１０２は分離可能にコントロールモジュール１０１と結合することができる。分離された場合、データ記憶モジュール１０２はコントロールモジュール１０１と無線通信ができる。ユーザはコントロールモジュール１０１の制御によりデータをリード及び／又はライトすることができる。
【００３０】
コンピュータマウスの機能を実現するために光機構モジュール１０３をコントロールモジュール１０１に結合することができる。光機構モジュール１０３はいずれの従来技術のコンピュータマウスを使うことができるので、ここでは詳しく説明していない。図４には、光機構モジュール１０３の回路図を示す。光機構モジュール１０３は、データ記憶モジュール１０２と指紋スキャンモジュール１０４がコントロールモジュール１０１から分離された後も、独立に動作することができる。
【００３１】
指紋スキャンモジュール１０４は分離可能にコントロールモジュール１０１と結合することもできる。分離された場合、指紋スキャンモジュール１０４はコントロールモジュール１０１と無線通信ができる。指紋スキャンモジュール１０４を指紋検出や、処理用にコントロールモジュール１０１への指紋信号の伝送に使うことができる。
【００３２】
指紋スキャンモジュール１０４はセンサーとしてフレキシブル回路を使って指紋を検出することができる。この実施例では、指紋スキャンモジュール１０４は無線周波数指紋スキャンモジュールである。図５には無線周波数の指紋スキャンモジュール１０４の回路図を示す。図６には無線周波数の指紋スキャンモジュール１０４の無線周波数の指紋センサーの回路図を示す。
【００３３】
インタフェース回路１０５はコントロールモジュール１０１に結合されて、本特許出願におけるコンピュータマウスとコンピュータのような周辺デバイスの間で、インタフェースを提供することができる。インタフェース回路１０５はＵＳＢ（universal serial bus）インタフェースであってもよいし、ＩＥＥＥでセットされたいずれの標準インタフェースであってもよい。図７にはコンピュータマウスのＵＳＢインタフェースの回路図を示す。
【００３４】
以上、いくつかの実施例を参考して本出願におけるコンピュータマウスを図示と説明をしたが、特許請求範囲を脱出することなく、いろんなほかの変更や修正をすることができる。
【符号の説明】
【００３５】
１００          ハウジング
１０１          コントロールモジュール
１０２          データ記憶モジュール
１０３          光機構モジュール
１０４          指紋スキャンモジュール
１０５          インタフェース回路
１１０          指受け用の空洞
１０４’        指紋スキャナ
１１００        ハウジング
１１１０        空洞
１１０４’      指紋スキャナ
【図１】
2010272108.tif 000003
【図２】
2010272108.tif 000004
【図２ａ】
2010272108.tif 000005
【図３】
2010272108.tif 000006
【図３ａ】
2010272108.tif 000007
【図４】
2010272108.tif 000008
【図５】
2010272108.tif 000009
【図６】
2010272108.tif 000010
【図７】
2010272108.tif 000011